(57)【特許請求の範囲】
【請求項１】
コンクリート床にアンカーボルトを打設し、そのアンカーボルトを打設したコンクリート床上に基礎モルタルを構築し、その基礎モルタル上にアイソレータを設置すると共に基礎モルタル上のアンカーボルトでアイソレータを固定し、そのアイソレータでフロアを支持する架台を免震支持する免震床のアイソレータ施工方法において、コンクリート床に、雌ネジ筒とその雌ネジ筒にねじ込む雄ネジボルトからなる雌ネジ型アンカーボルトを打設し、打設後の雌ネジ筒と雄ネジボルトとを保護チューブで覆って基礎モルタルを構築し、しかる後雌ネジ型アンカーボルトでアイソレータを保持させたことを特徴とする免震床のアイソレータ施工方法。
【請求項２】
雌ネジ型アンカーボルトは、下端にスリットが形成された雌ネジ筒とその雌ネジ筒に螺合する雄ネジボルトからなり、雌ネジ筒をコンクリート床に打設後に、その雌ネジ筒に雄ネジボルトをねじ込み、しかる後コンクリート床から突出した雌ネジ筒に保護チューブを挿入し、さらに雄ネジボルトに、アイソレータのベースプレートを支持する下部ナットをねじ込み、その状態で基礎モルタルを構築する請求項１記載の免震床のアイソレータ施工方法。
【請求項３】
基礎モルタルは、コンクリート床に型枠を設置し、その型枠内にモルタルを充填して構築する請求項２記載の免震床のアイソレータ施工方法。
【請求項４】
基礎モルタルを充填後、雌ネジ型アンカーボルトの雄ネジボルトに、アイソレータのベースプレートの取り付け穴を嵌め込むと共にその雄ネジボルトにねじ込んだ下部ナット上に、アイソレータを支持させ、その雄ネジボルトに上部ナットをねじ込んでアイソレータを保持させ、その状態で基礎モルタルを養生する請求項３記載の免震床のアイソレータ施工方法。
【請求項５】
モルタル充填後或いは充填前に、アイソレータのベースプレートの一辺に沿って目地棒を設けて基礎モルタルを構築し、その目地棒を取り外してアイソレータ取り外しのための溝を形成する請求項４記載の免震床のアイソレータ施工方法。
【請求項６】
アイソレータを交換する際に、上部ナットを雄ネジボルトから取り外した後、雄ネジボルトを雌ネジ筒から取り外し、その後、アイソレータを架台から切り離した状態で水平に引き出して基礎モルタル上から取り外し、しかる後、新たなアイソレータを基礎モルタル上と架台間に挿入し、その後、雄ネジボルトを雌ネジ筒にねじ込むと共に、その雄ネジボルトに上部ナットをねじ込んで新たなアイソレータを固定する請求項４又は５記載の免震床のアイソレータ施工方法。
【発明の詳細な説明】
【技術分野】
【０００１】
本発明は、電算室などの免震床の上下動を吸収する免震床のアイソレータ施工方法に関するものである。
【背景技術】
【０００２】
電算室のコンピュータが地震などによる振動の影響を受けないようにアイソレータを用いた免震構造が提案されている（特許文献１〜３）。
【０００３】
この免震構造は、図６に示すようにコンクリート床４０上に、多数の空気バネからなるアイソレータ４１とダンパーとしての上下ガイド４２を配置し、そのアイソレータと上下ガイド４２で、コンクリート床４０から所定間隔離して架台４３を支持し、その架台４３にフロア４４を形成したものである。このフロア４４上には多数のコンピュータ４５が設置され、地震時の振動から保護されるようになっている。この免震構造は、アイソレータ４１に所定の空気圧が付与されており、地震時に、上下ガイド４２のダンパー作用とアイソレータ４１のもつ空気バネ作用により、架台４３の上に支持されたフロア４４の上下動を吸収するようにしている。
【０００４】
従来、アイソレータ４１をコンクリート床４０上に設置する際には、図５に示すように、アイソレータ４１を設置するコンクリート床４０上の四隅にアンカーボルト４７を打設し、そのアンカーボルト４７の周囲を型枠（図示せず）で覆うと共にモルタルを充填して基礎モルタル４８を打設し、その基礎モルタル４８の硬化後にアイソレータ４１をアンカーボルト４７にて基礎モルタル４８上に設置した後、アイソレータ４１上に架台４３を設置し、ボルト・ナット４９にて架台４３の横ずれを防止しつつ上下動できるようにされ、さらに支持部材５０にてフロア４４を敷設するようにしている。
【先行技術文献】
【特許文献】
【０００５】
【特許文献１】特開２０１０−１３３１５８号公報
【特許文献２】特開２００９−２８７２７３号公報
【特許文献３】特開平０５−２４８４９３号公報
【発明の概要】
【発明が解決しようとする課題】
【０００６】
ところで、新規に電算室の免震構造を構築する場合には、基礎モルタル４８を養生硬化した後、アイソレータ４１を設置しても支障はない。しかし、アイソレータ４１に故障や不具合が生じて新たなアイソレータ４１を交換する際には、アイソレータ４１を簡単に取り外せない問題がある。すなわち、アイソレータ４１は、アンカーボルト４７にナットで固定されており、ナットを外しても、基礎モルタル４８上にアンカーボルト４７が突出したままであり、しかもアイソレータ４１と架台４３との隙間は確保できないため、アイソレータ４１を上方に上げて取り外すことはできない。このため、アイソレータ４１を交換するには、基礎モルタル４８ごと斫つて取り外すしか交換することはできない問題がある。また、アイソレータ４１の交換で、基礎モルタル４８を斫つたりすると粉塵が電算室に飛散すると共に、基礎モルタル４８の硬化までアイソレータ４１を設置することができない問題がある。
【０００７】
そこで、本発明の目的は、上記課題を解決し、アイソレータを簡単に取り外すことができると共に、基礎モルタルの養生を待たずにアイソレータを設置できる免震床のアイソレータ施工方法を提供することにある。
【課題を解決するための手段】
【０００８】
上記目的を達成するために請求項１の発明は、コンクリート床にアンカーボルトを打設し、そのアンカーボルトを打設したコンクリート床上に基礎モルタルを構築し、その基礎モルタル上にアイソレータを設置すると共に基礎モルタル上のアンカーボルトでアイソレータを固定し、そのアイソレータでフロアを支持する架台を免震支持する免震床のアイソレータ施工方法において、コンクリート床に、雌ネジ筒とその雌ネジ筒にねじ込む雄ネジボルトからなる雌ネジ型アンカーボルトを打設し、打設後の雌ネジ筒と雄ネジボルトとを保護チューブで覆って基礎モルタルを構築し、しかる後雌ネジ型アンカーボルトでアイソレータを保持させたことを特徴とする免震床のアイソレータ施工方法である。
【０００９】
請求項２の発明は、雌ネジ型アンカーボルトは、下端にスリットが形成された雌ネジ筒とその雌ネジ筒に螺合する雄ネジボルトからなり、雌ネジ筒をコンクリート床に打設後に、その雌ネジ筒に雄ネジボルトをねじ込み、しかる後コンクリート床から突出した雌ネジ筒に保護チューブを挿入し、さらに雄ネジボルトに、アイソレータのベースプレートを支持する下部ナットをねじ込み、その状態で基礎モルタルを構築する請求項１記載の免震床のアイソレータ施工方法である。
【００１０】
請求項３の発明は、基礎モルタルは、コンクリート床に型枠を設置し、その型枠内にモルタルを充填して構築する請求項２記載の免震床のアイソレータ施工方法である。
【００１１】
請求項４の発明は、基礎モルタルを充填後、雌ネジ型アンカーボルトの雄ネジボルトに、アイソレータのベースプレートの取り付け穴を嵌め込むと共にその雄ネジボルトにねじ込んだ下部ナット上に、アイソレータを支持させ、その雄ネジボルトに上部ナットをねじ込んでアイソレータを保持させ、その状態で基礎モルタルを養生する請求項３記載の免震床のアイソレータ施工方法である。
【００１２】
請求項５の発明は、モルタル充填後或いは充填前に、アイソレータのベースプレートの一辺に沿って目地棒を設けて基礎モルタルを構築し、その目地棒を取り外してアイソレータ取り外しのための溝を形成する請求項４記載の免震床のアイソレータ施工方法である。
【００１３】
請求項６の発明は、アイソレータを交換する際に、上部ナットを雄ネジボルトから取り外した後、雄ネジボルトを雌ネジ筒から取り外し、その後、アイソレータを架台から切り離した状態で水平に引き出して基礎モルタル上から取り外し、しかる後、新たなアイソレータを基礎モルタル上と架台間に挿入し、その後、雄ネジボルトを雌ネジ筒にねじ込むと共に、その雄ネジボルトに上部ナットをねじ込んで新たなアイソレータを固定する請求項４又は５記載の免震床のアイソレータ施工方法である。
【発明の効果】
【００１４】
本発明によれば、コンクリート床に雌ネジ型アンカーボルトを打設し、そのアンカーボルトの周囲を保護チューブで覆って基礎モルタルを構築することで、雌ネジ筒から雄ネジボルトを簡単に取り外すことが可能となり、これにより基礎モルタルと架台間のスペースが僅かでもアイソレータを横に引き出して交換することができるという優れた効果を発揮するものである。
【図面の簡単な説明】
【００１５】
【図１】本発明の免震床のアイソレータ施工方法で設置した免震構造の断面図である。
【図２】本発明における雌ネジ型アンカーボルトの詳細図である。
【図３】本発明において、コンクリート床に雌ネジ型アンカーボルトを打設する施工手順を示す図である。
【図４】本発明において、コンクリート床に基礎モルタルを構築した後、アイソレータを設置する施工手順を示す図である。
【図５】従来の免震床のアイソレータ施工方法で設置した免震構造の断面図である。
【図６】免震床構造を示す概略全体斜視図である。
【発明を実施するための形態】
【００１６】
以下、本発明の好適な一実施の形態を添付図面に基づいて詳述する。
【００１７】
図１は、本発明の免震床のアイソレータ施工方法で設置した免震構造を示したもので、コンクリート床１０に雌ネジ型アンカーボルト１１が打設され、そのコンクリート床１０上に基礎モルタル１２が構築され、その基礎モルタル１２上にアイソレータ１３が設置され、アイソレータ１３に架台１４が設置され、アイソレータ１３に設けたボルト・ナット１５が架台１４に挿通されて、横ずれが防止され、その架台１４上に支持部材１６にてフロア１７が保持される。
【００１８】
アイソレータ１３は、可撓パイプ１８を介して補助タンク１９に接続されており、アイソレータ１３の空気バネ作用により、地震時のフロア１７の上下振動を吸収するようになっている。
【００１９】
図２は、本発明に用いる雌ネジ型アンカーボルト１１の詳細を示したものであり、基本的には雌ネジ筒２０と雄ネジボルト２１とからなり、その雄ネジボルト２１に下部ナット２２がねじ込まれ、さらに上部ナット２３がねじ込まれ、その上下のナット２２，２３でアイソレータ１３のベースプレート１３Ｂを支持するようになっている。
【００２０】
雌ネジ筒２０は、筒状に形成され、内部に雄ネジボルト２１と螺合する雌ネジ２５が形成され、下端の筒部２６がタケノコ状に形成されると共に軸方向にスリット２７が形成され、筒部２６に拡径用のテーパーピン２８が嵌め込まれ、雌ネジ筒２０を打設機で打ち込むことで、下端の筒部２６が拡径できるようになっている。
【００２１】
次に本発明の免震床のアイソレータ施工方法を図３，図４により説明する。
【００２２】
先ず、図３（ａ）に示すように、アイソレータ１３の設置位置のコンクリート床１０にドリルにて雌ネジ型アンカーボルト１１が挿入できる下穴３０を穿設する。
【００２３】
次に図３（ｂ）に示すように、下穴３０に雌ネジ型アンカーボルト１１の雌ネジ筒２０を挿入し、打設機（図示せず）にて雌ネジ筒２０を下穴３０内に打ち込むことで、図３（ｃ）に示すように下端の筒部２６が拡径して下穴３０の内壁にくい込むようになる。
【００２４】
その後、図３（ｄ）に示すように、雌ネジ筒２０に雄ネジボルト２１をねじ込み、コンクリート床１０に雌ネジ型アンカーボルト１１を打設する。
【００２５】
次に、図３（ｅ）に示すように、この雌ネジ型アンカーボルト１１の外周に保護チューブ３１を嵌め込む。この保護チューブ３１は、エアコン用ドレンホースなど可撓性と伸縮性のあるジャバラ状の合成樹脂チューブからなり、内径が雌ネジ筒２０より１〜３ｍｍ大きなものを用いる。
【００２６】
保護チューブ３１を嵌め込んだ後、雄ネジボルト２１に下部ナット２２をねじ込み、さらにテンプレート３２を装着すると共に上部ナット２３でテンプレート３２を仮止めし、下部ナット２２と上部ナット２３にて、テンプレート３２の水平とその高さを確認することで、設置するアイソレータ１３の取り付け高さを調整する。
【００２７】
テンプレート３２による各下部ナット２２の高さ調整が終了した後、基礎モルタル１２を打設する型枠３３を設置し、上部ナット２３とテンプレート３２を取り外す。
【００２８】
このように雌ネジ型アンカーボルト１１を打設し、下部ナット２２を位置調整して取り付けた後、図４（ａ）に示すように、型枠３３内にモルタルを充填して基礎モルタル１２を構築する。
【００２９】
次に、図４（ｂ）に示すように、基礎モルタル１２が硬化する前にアイソレータ１３のベースプレート１３Ｂの取り付け穴３４を雌ネジ型アンカーボルト１１の雄ネジボルト２１に嵌め込み、図４（ｃ）に示すように、上部ナット２３をねじ込んでアイソレータ１３を取り付ける。
【００３０】
この場合、アイソレータ１３は雌ネジ型アンカーボルト１１にねじ込んだ下部ナット２２で支持され、基礎モルタル１２にはその荷重が加わらないため、基礎モルタル１２が硬化する前に設置することが可能となり、作業効率が向上する。
【００３１】
また、アイソレータ１３を雌ネジ型アンカーボルト１１で支持した後にモルタルを型枠３３内に充填すると、充填したモルタルとベースプレート１３Ｂの間に空気が入り込み、養生後にベースプレート１３Ｂと基礎モルタル１２間に巣が発生するが、モルタル充填後、基礎モルタル１２が硬化する前にアイソレータ１３を設置することで、その間の空気が排出され基礎モルタル１２とベースプレート１３Ｂの密着性が良好となる。
【００３２】
基礎モルタル１２の硬化前、或いはモルタルの充填前にベースプレート１３Ｂの一辺に目地棒３５を設けており、基礎モルタル１２の養生後に目地棒３５を取り外すことで、アイソレータ取り外し用の溝３６が形成される。
【００３３】
このアイソレータ１３を設置後は、図１で説明したように架台１４とフロア１７を構築する。この場合、基礎モルタル１２の養生を待たずに架台１４等を構築できるため工期を短縮することができる。
【００３４】
次に、経年使用によりアイソレータ１３が劣化し、アイソレータ１３を取り外して新たなアイソレータ１３を取り付ける施工法を説明する。
【００３５】
この場合、架台１４を図示しないジャッキ等で保持し、アイソレータ１３の空気を抜くことで、架台１４とアイソレータ１３の上部プレート１３Ｕに隙間が形成される。
【００３６】
この状態で、上部ナット２３を取り外し、さらに雄ネジボルト２１を雌ネジ筒２０から取り外す。この際、雌ネジ筒２０と雄ネジボルト２１は保護チューブ３１で基礎モルタル１２から隔離されており、雄ネジボルト２１は簡単に容易に取り外すことができる。このように雄ネジボルト２１を取り外すと、ベースプレート１３Ｂは、基礎モルタル１２と下部ナット２２の上に載った状態であり、アイソレータ１３を横方向に引き出すことが可能となる。この際、ベースプレート１３Ｂは基礎モルタル１２に密着しているため、基礎モルタル１２に予め形成した溝３６を利用してベースプレート１３Ｂの下面にバールを差し込んで押し上げれば容易に基礎モルタル１２から離すことができる。
【００３７】
その後、新たなアイソレータ１３を基礎モルタル１２と架台１４の間に挿入し、位置合わせ行う。
【００３８】
次に、新たな雄ネジボルト２１を雌ネジ筒２０にねじ込み、その雄ネジボルト２１に上部ナット２３をねじ込むことで新たなアイソレータ１３を設置することが可能となる。設置後は、アイソレータ１３と補助タンク１９を可撓パイプ１８で接続し、アイソレータ１３に所定の空気圧を付与して架台１４を支持すると共にジャッキを取り外す。
【００３９】
このようにアイソレータ１３の交換は、従来のようにコンクリートを斫つたりする作業もなく、また、上部ナット２３と雄ネジボルト２１を取り外すだけで簡単に交換することが可能となるため、取り替え工期が短く、しかも粉塵の影響もないため、コンピュータの稼働中でも容易に交換することが可能となる。
【符号の説明】
【００４０】
１０  コンクリート床
１１  雌ネジ型アンカーボルト
１２  基礎モルタル
１３  アイソレータ
１４  架台
１７  フロア
３１  保護チューブ
【図２】
0005752394.tif 000002
【図３】
0005752394.tif 000003
【図５】
0005752394.tif 000004
【図１】
0005752394.tif 000005
【図４】
0005752394.tif 000006
【図６】
0005752394.tif 000007